(57)【要約】【課題】広告配信を行う側が１箇所にとどまらない場合でも広告の配信を行うことが可能な携帯電話機を提供する。【解決手段】広告配信機能付き携帯電話機１は配信したい広告を自端末内のアプリケーション１７で作成し、ＧＰＳ等の測位機構１６を用いて自己位置の測位を行い、位置情報サーバ２を介してデータ管理用サーバ３にその位置を登録する。制御部１１は自端末内の各回路を制御するとともに、位置情報サーバ２から得たユーザ情報を基に広告を配信するユーザを選択する。無線制御部１２はユーザ情報を位置情報サーバ２から入手し、広告を配信する。【選択図】　　　図１
2004080554.tif 000002
【特許請求の範囲】
【請求項１】
自己位置を測位する機能を持つ携帯電話機であって、配信する広告情報を作成する作成機能と、前記作成機能で作成された前記広告情報を予め設定された条件に適合する端末に配信する配信機能とを有することを特徴とする携帯電話機。
【請求項２】
位置情報サービスを提供する位置情報サーバから前記端末の位置情報を入手する機能を含むことを特徴とする請求項１記載の携帯電話機。
【請求項３】
前記配信機能は、前記位置情報サーバを介して前記端末に前記広告情報を配信することを特徴とする請求項２記載の携帯電話機。
【請求項４】
前記広告情報の配信タイミングを設定自在としたことを特徴とする請求項１から請求項３のいずれか記載の携帯電話機。
【請求項５】
前記自己位置を測位する機能は、ＧＰＳ（Ｇｌｏｂａｌ　Ｐｏｓｉｔｉｏｎｉｎｇ　Ｓｙｓｔｅｍ）を用いて測位を行うことを特徴とする請求項１から請求項４のいずれか記載の携帯電話機。
【請求項６】
前記予め設定された条件は、少なくとも前記自己位置からの距離と予め設定されエリアと住所とのうちのいずれかを指定自在としたことを特徴とする請求項１から請求項５のいずれか記載の携帯電話機。
【請求項７】
自己位置を測位する機能を持つ携帯電話機の広告配信方法であって、配信する広告情報を作成するステップと、その作成された前記広告情報を予め設定された条件に適合する端末に配信するステップとを有することを特徴とする広告配信方法。
【請求項８】
位置情報サービスを提供する位置情報サーバから前記端末の位置情報を入手するステップを含むことを特徴とする請求項７記載の広告配信方法。
【請求項９】
前記広告情報を配信するステップは、前記位置情報サーバを介して前記端末に前記広告情報を配信することを特徴とする請求項８記載の広告配信方法。
【請求項１０】
前記広告情報の配信タイミングを設定自在としたことを特徴とする請求項７から請求項９のいずれか記載の広告配信方法。
【請求項１１】
前記自己位置を測位する機能は、ＧＰＳ（Ｇｌｏｂａｌ　Ｐｏｓｉｔｉｏｎｉｎｇ　Ｓｙｓｔｅｍ）を用いて測位を行うことを特徴とする請求項７から請求項１０のいずれか記載の広告配信方法。
【請求項１２】
前記予め設定された条件は、少なくとも前記自己位置からの距離と予め設定されエリアと住所とのうちのいずれかを指定自在としたことを特徴とする請求項７から請求項１１のいずれか記載の広告配信方法。
【請求項１３】
自己位置を測位する機能を持つ携帯電話機の広告配信方法のプログラムであって、前記携帯電話機のコンピュータに、配信する広告情報を作成する処理と、その作成された前記広告情報を予め設定された条件に適合する端末に配信する処理とを実行させるためのプログラム。
【発明の詳細な説明】
【０００１】
【発明の属する技術分野】
本発明は携帯電話機及びそれに用いる広告配信方法並びにそのプログラムに関し、特に携帯電話機への広告配信方法に関する。
【０００２】
【従来の技術】
従来、この種の広告配信方法においては、位置情報サーバを用いたパーソナルコンピュータ（以下、パソコンとする）やサーバからの広告配信が、すでに観光ナビゲーションシステム等のサービスとして実施されている。
【０００３】
例えば、特開２００１−３５９１６６号公報に開示された技術では、特定のエリアに位置する携帯電話機に対して、その利用者が興味を持つであろう広告を選択的に配信している。
【０００４】
この場合、配信用サーバが位置検出用サーバにＧＰＳ（Ｇｌｏｂａｌ　Ｐｏｓｉｔｉｏｎｉｎｇ　Ｓｙｓｔｅｍ）受信機能を備えた携帯電話機の位置情報を収集させ、その位置情報に基づいて特定エリアに位置する携帯電話機を特定する。その後に、配信用サーバは特定した携帯電話機の使用者に関する情報をデータベースから得て、広告メッセージの配信を行うか否かを決定することで、選択的に広告メッセージの配信を行っている。
【０００５】
【発明が解決しようとする課題】
しかし、上述した従来の広告配信方法では、広告配信を行う側が１箇所にとどまらない場合（例えば、屋台等）やパソコンを持っていない場合、広告メッセージの配信を行うことができないという問題がある。
【０００６】
そこで、本発明の目的は上記の問題点を解消し、広告配信を行う側が１箇所にとどまらない場合でも広告の配信を行うことができる携帯電話機及びそれに用いる広告配信方法並びにそのプログラムを提供することにある。
【０００７】
【課題を解決するための手段】
本発明による携帯電話機は、自己位置を測位する機能を持つ携帯電話機であって、配信する広告情報を作成する作成機能と、前記作成機能で作成された前記広告情報を予め設定された条件に適合する端末に配信する配信機能とを備えている。
【０００８】
本発明による広告配信方法は、自己位置を測位する機能を持つ携帯電話機の広告配信方法であって、配信する広告情報を作成するステップと、その作成された前記広告情報を予め設定された条件に適合する端末に配信するステップとを備えている。
【０００９】
本発明による広告配信方法のプログラムは、自己位置を測位する機能を持つ携帯電話機の広告配信方法のプログラムであって、前記携帯電話機のコンピュータに、配信する広告情報を作成する処理と、その作成された前記広告情報を予め設定された条件に適合する端末に配信する処理とを実行させている。
【００１０】
すなわち、本発明の携帯電話機は、位置情報サーバを介した自己位置の測位が可能な携帯電話機において、予め決めておいた範囲内にいるユーザ情報を位置情報サーバから入手し、携帯電話機内において広告の対象となるユーザを選択して広告情報を配信する機能を持つことを特徴としている。
【００１１】
これによって、本発明の携帯電話機では、携帯電話機上で配信したい広告を作成することができ、かつ配信機能を持つことで、ＰＣ（パーソナルコンピュータ）やサーバがなくても広告配信が可能となる。
【００１２】
また、本発明の携帯電話機では、配信対象ユーザを自己位置からの範囲やエリアを指定可能となっているので、場所を移動しても、移動中であっても、配信対象ユーザを見つけることが可能となり、広告配信を行う側が１箇所にとどまらない場合でも広告配信が可能となる。
【００１３】
さらに、本発明の携帯電話機では、位置情報サーバから位置情報を入手するので、データのやりとり回数を最小限にすることが可能となり、時間指定を行うことが可能となる。
【００１４】
さらにまた、本発明の携帯電話機では、広告配信をメール機能で行うため、新たなソフト構成やシステムを搭載する必要がなく、自己位置の測位が可能な従来の携帯電話機を用いて実施することが可能となる。
【００１５】
このほかに、本発明の携帯電話機では、位置情報サーバに登録したエリアにおいて、対象ユーザが見つからないことがわかると、対象エリアの範囲を広げたり、場所を変えたりする設定を容易に行うことが可能となる。
【００１６】
【発明の実施の形態】
次に、本発明の実施例について図面を参照して説明する。図１は本発明の一実施例による移動通信システムの構成を示すブロック図である。図１において、本発明の一実施例による移動通信システムは広告配信機能付き携帯電話機１と、位置情報サーバ２と、データ管理用サーバ３と、複数のユーザ携帯電話（＃１〜＃３）４〜６とから構成されている。
【００１７】
広告配信機能付き携帯電話機１はＧＰＳ（Ｇｌｏｂａｌ　Ｐｏｓｉｔｉｏｎｉｎｇ　Ｓｙｓｔｅｍ）等を用いて自己位置の測位が可能となっている。位置情報サーバ２は位置情報サービスを提供し、データ管理用サーバ３は位置情報管理や対象エリアの登録、及びユーザ情報の管理を行う。
【００１８】
ユーザ携帯電話（＃１〜＃３）４〜６各々は自己位置の測位が可能であり、その測位結果を位置情報サーバ２を介してデータ管理用サーバ３に登録する。言い換えると、ユーザ携帯電話（＃１〜＃３）４〜６各々は位置情報サーバ２からのサービスを受けることができる。
【００１９】
図２は図１の広告配信機能付き携帯電話機１の構成を示すブロック図である。図２においては、自己位置測位が可能な広告配信機能付き携帯電話機１の内部構成を簡単に示している。
【００２０】
広告配信機能付き携帯電話機１は制御部１１と、無線制御部１２と、ＲＡＭ（ランダムアクセスメモリ）１３と、ＲＯＭ（リードオンリメモリ）１４と、操作部１５と、測位機構１６と、アプリケーション１７とから構成されている。
【００２１】
広告配信機能付き携帯電話機１は配信したい広告を自端末内のアプリケーション１７で作成することができる。また、広告配信機能付き携帯電話機１はＧＰＳ等の測位機構１６を用いて自己位置の測位を行い、位置情報サーバ２を介してデータ管理用サーバ３にその位置を登録する機能を有する。
【００２２】
制御部１１は自端末内の各回路を制御する機能と、位置情報サーバ２から得たユーザ情報を基に広告を配信するユーザを選択する機能とを持つ。無線制御部１２はユーザ情報を位置情報サーバ２から入手し、広告を配信するための機能を持つ。
【００２３】
ＲＡＭ１３は携帯電話機としての機能と位置情報に関する設定とを記憶しておく記憶領域であり、ＲＯＭ１４はコンピュータが実行可能なプログラムを記録しておくプログラム領域であり、操作部１５は自端末を操作するための機能を持つ。
【００２４】
図３は本発明の一実施例における登録の範囲を示す図である。図３においては、広告配信機能付き携帯電話機１が位置情報サーバ２を介してデータ管理用サーバ３に対象エリアを登録した時の位置と各ユーザがいる位置とを示している。
【００２５】
広告配信機能付き携帯電話機１はデータ管理用サーバ３に対して、「自己位置から半径５００ｍ以内の範囲（対象エリア２１）にいるユーザ情報がほしい」と登録する。この時、広告配信機能付き携帯電話機１の半径５００ｍ以内にいるユーザは、ユーザ携帯電話（＃１）４、ユーザ携帯電話（＃２）５、ユーザ携帯電話（＃３）６である。ユーザ携帯電話（＃４）２２及びユーザ携帯電話（＃５）２３は半径５００ｍ外にいるため、広告配信機能付き携帯電話機１の希望範囲の対象外となる。
【００２６】
図４は本発明の一実施例の動作を示すフローチャートであり、図５は本発明の一実施例の動作を示すシーケンスチャートである。これら図１〜図５を参照して本発明の一実施例の動作について説明する。尚、図４や図５に示す処理はコンピュータがＲＯＭ１４のプログラムを実行することで実現される。
【００２７】
広告配信機能付き携帯電話機１は予め配信したい広告を自端末上のアプリケーション１７で作成しておくか、またはすでに作成済みの広告を準備しておく（図４ステップＳ１）。
【００２８】
位置情報サービスを提供する位置情報サーバ２は位置検索サービス等の中継サーバである。広告配信機能付き携帯電話機１は自己位置の測位を行うか、すでに測位した位置情報を位置情報サーバ２を介してデータ管理用サーバ３に登録する（図４ステップＳ２）。
【００２９】
次に、広告配信機能付き携帯電話機１は広告を配信したいエリアとユーザ情報通知時間とを決める。例えば、広告配信機能付き携帯電話機１は自端末の位置から半径５００ｍ以内を対象エリア２１と決め、データ管理用サーバ３に「自己位置から半径５００ｍ以内の対象エリア２１にいるユーザ情報がほしい」と登録する（図４ステップＳ３）。この時、ユーザ情報の通知時間としては、例えば２時間を指定しておく。
【００３０】
データ管理用サーバ３は広告配信機能付き携帯電話機１から位置情報と対象エリアとが登録されると、対象エリア２１にいるユーザを調査し、エリア対象ユーザ情報［ユーザ携帯電話（＃１〜＃３）４〜６］を位置情報サーバ２を介して広告配信機能付き携帯電話機１へ送信する。この時、ユーザ携帯電話（＃４）２２とユーザ携帯電話（＃５）２３とは対象エリア２１の外にいるため、本対象からははずれる。
【００３１】
広告配信機能付き携帯電話機１は位置情報サーバ２から対象エリア２１にいるユーザ情報［ユーザ携帯電話（＃１〜＃３）４〜６］の通知を受けると（図４ステップＳ４）、制御部１１にて配信対象ユーザだけをピックアップする（図４ステップＳ６）。広告配信機能付き携帯電話機１は位置情報サーバ２から通知が来ない場合（図４ステップＳ４）、登録時の指定時間内であれば（図４ステップＳ１０）、位置情報サーバ２からの通知を待つ（図４ステップＳ１１）。
【００３２】
広告配信機能付き携帯電話機１は配信対象ユーザが存在しない場合（図４ステップＳ７）、対象エリア２１を再登録するかどうかを判断し（図４ステップＳ８）、対象エリア２１を再登録するのであれば、ステップＳ３に戻って、データ管理用サーバ３に「自己位置から半径５００ｍ以内の対象エリア２１にいるユーザ情報がほしい」と登録する。
【００３３】
広告配信機能付き携帯電話機（１１）は配信対象ユーザが存在する場合（図４ステップＳ７）、作成した広告を広告の配信対象となるユーザだけにメールで配信（送信）する（図４ステップＳ９）。
【００３４】
広告配信機能付き携帯電話機（１１）はこの時点で、対象エリア登録時に合わせて登録したユーザ通知時間である２時間が完了していなければ（図４ステップＳ１０）、位置情報サーバ２からの新たなユーザ情報通知を待つ（図４ステップＳ１１）。
【００３５】
位置情報サーバ（１２）は広告配信機能付き携帯電話機（１１）が登録したユーザ通知時間である２時間以内に新たなユーザが見つかると、随時、そのユーザ情報を広告配信機能付き携帯電話機１に対して通知する（図４ステップＳ５）。
【００３６】
次に、図５に示す動作シーケンスを参照しながら、本発明の一実施例による広告配信の流れについて説明する。本実施例による移動通信システムにおいて、対象となるユーザとして、例えばユーザ携帯電話（＃１）４、ユーザ携帯電話（＃２）５、ユーザ携帯電話（＃３）６それぞれの位置情報は、すでに位置情報サーバ２を介してデータ管理用サーバ３に登録されているものとし（図５のＡ１４〜Ａ１６参照）、それを利用するものとする。
【００３７】
広告配信機能付き携帯電話機１は予め自端末内のアプリケーション１７において広告を作成するか、または予め作成しておいた広告を準備する（図５のＡ１参照）。広告配信機能付き携帯電話機１は自己位置を測位するか（図５のＡ２参照）、もしくは予め測位した位置情報をデータ管理用サーバ３に登録するため、登録要求を位置情報サーバ２に送る（図５のＡ３参照）。
【００３８】
位置情報サーバ２は広告配信機能付き携帯電話機１からの登録要求を受けると、データ管理用サーバ３に、広告配信機能付き携帯電話機１の位置情報を登録する（図５のＡ４参照）。位置情報サーバ２は位置登録が完了すると、広告配信機能付き携帯電話機１に対して登録完了通知を送信する（図５のＡ５参照）。
【００３９】
次に、広告配信機能付き携帯電話機１は広告を配信するための対象エリア２１と、ユーザ情報通知時間とを登録するために、位置情報サーバ２に対して登録要求を送信する（図５のＡ６参照）。
【００４０】
位置情報サーバ（１２）は広告配信機能付き携帯電話機１から対象エリア２１の登録要求を受けると、データ管理用サーバ３に対して、対象エリア２１を登録し（図５のＡ７参照）、広告配信機能付き携帯電話機１に対して登録完了通知を送信する（図５のＡ８参照）。
【００４１】
データ管理用サーバ（１３）は位置情報サーバ２を介して登録された広告配信機能付き携帯電話機１からの対象エリア２１を基に、そのエリアに位置登録しているユーザを調査する（図５のＡ９参照）。この時、ユーザ携帯電話（＃４）２２及びユーザ携帯電話（＃５）２３は対象エリア２１の外にいるため、本対象からははずれる。
【００４２】
データ管理用サーバ３は対象となるユーザ情報を割り出すと、広告配信機能付き携帯電話機１に対して、対象エリア２１内にいるユーザの情報を通知する（図５のＡ１０参照）。
【００４３】
広告配信機能付き携帯電話機１は対象エリア２１内のユーザ情報を得ると、広告の内容から配信対象となるユーザをピックアップする（図５のＡ１１参照）。広告配信機能付き携帯電話機１はピックアップしたユーザ携帯電話（＃２）５とユーザ携帯電話（＃３）６とに対してのみ、広告をメールで配信する（図５のＡ１２，Ａ１３参照）。
【００４４】
このように、本実施例では、広告配信機能付き携帯電話機１が自端末内で配信したい広告を作成し、その広告を予め設定した対象エリア２１内にいるユーザに配信することによって、ＰＣ（パーソナルコンピュータ）やサーバがなくても、ユーザへの広告の配信を行うことができる。
【００４５】
また、本実施例では、広告配信機能付き携帯電話機１が配信対象のユーザを指定するための自己位置からの範囲やエリアを指定することができるので、場所を移動しても、移動中であっても、配信対象のユーザを見つけることができ、広告配信を行う側が１箇所にとどまらない場合でも広告の配信を行うことができる。
【００４６】
さらに、本実施例では、広告配信機能付き携帯電話機１が位置情報サーバ２から情報を入手しているので、データのやりとり回数を最小限にすることができ、時間指定んを行うこともできる。
【００４７】
さらにまた、本実施例では、広告配信機能付き携帯電話機１が広告配信をメール機能で行うため、新たなソフト構成やシステムを搭載する必要がなく、自己位置の測位が可能な従来の携帯電話機を用いて実施することができる。
【００４８】
本実施例では、上記の効果のほかに、広告配信機能付き携帯電話機１が位置情報サーバ２に登録した対象エリア２１において、対象ユーザが見つからないことがわかると、対象エリア２１の範囲を広げたり、場所を変えたりする設定を容易に行うことができる。
【００４９】
尚、本発明は上記の実施例に限定されず、その技術思想の範囲内で様々な態様をとることができる。例えば、対象エリアを１つに決めず、広告配信機能付き携帯電話機１が複数の対象エリアの情報を位置情報サーバ２から入手し、その対象エリア毎に予め作っておいた広告を配信することもできる。
【００５０】
また、広告配信機能付き携帯電話機１が位置情報サーバ２から対象エリア２１内のユーザ情報を入手した後、自端末内にて広告配信の対象ユーザをピックアップし、自端末から直接ユーザに広告配信のメールを送付するのではなく、位置情報サーバ２に送信することもできる。この場合、位置情報サーバ２は広告配信機能付き携帯電話機１から送信されたユーザ情報に対して、広告を配信することによって、広告配信機能付き携帯電話機１がユーザのメールアドレスを知ることがないので、セキュリティ面で安心である。
【００５１】
さらに、広告配信機能付き携帯電話機１は配信対象エリアを自己位置からの距離と決めず、エリアや住所等を指定することができるようにすることで、目的地に到着する前に広告を配信することができる。
【００５２】
【発明の効果】
以上説明したように本発明は、自己位置を測位する機能を持つ携帯電話機において、配信する広告情報を自端末内で作成し、その作成した広告情報を予め設定された条件に適合する端末に配信することによって、広告配信を行う側が１箇所にとどまらない場合でも広告の配信を行うことができるという効果が得られる。
【図面の簡単な説明】
【図１】本発明の一実施例による移動通信システムの構成を示すブロック図である。
【図２】図１の広告配信機能付き携帯電話機の構成を示すブロック図である。
【図３】本発明の一実施例における登録の範囲を示す図である。
【図４】本発明の一実施例の動作を示すフローチャートである。
【図５】本発明の一実施例の動作を示すシーケンスチャートである。
【符号の説明】
１　広告配信機能付き携帯電話機
２　位置情報サーバ
３　データ管理用サーバ
４〜６　ユーザ携帯電話（＃１〜＃３）
１１　制御部
１２　無線制御部
１３　ＲＡＭ
１４　ＲＯＭ
１５　操作部
１６　測位機構
１７　アプリケーション
２１　対象エリア
２２，２３　ユーザ携帯電話（＃４，＃５）
【図１】
2004080554.tif 000003
【図２】
2004080554.tif 000004
【図３】
2004080554.tif 000005
【図４】
2004080554.tif 000006
【図５】
2004080554.tif 000007
【手続補正書】
【提出日】平成15年6月27日(2003.6.27)
【手続補正１】
【補正対象書類名】明細書
【補正対象項目名】００３３
【補正方法】変更
【補正の内容】
【００３３】
広告配信機能付き携帯電話機１は配信対象ユーザが存在する場合（図４ステップＳ７）、作成した広告を広告の配信対象となるユーザだけにメールで配信（送信）する（図４ステップＳ９）。


【手続補正２】
【補正対象書類名】明細書
【補正対象項目名】００３４
【補正方法】変更
【補正の内容】
【００３４】
広告配信機能付き携帯電話機１はこの時点で、対象エリア登録時に合わせて登録したユーザ通知時間である２時間が完了していなければ（図４ステップＳ１０）、位置情報サーバ２からの新たなユーザ情報通知を待つ（図４ステップＳ１１）。


【手続補正３】
【補正対象書類名】明細書
【補正対象項目名】００３５
【補正方法】変更
【補正の内容】
【００３５】
位置情報サーバ２は広告配信機能付き携帯電話機１が登録したユーザ通知時間である２時間以内に新たなユーザが見つかると、随時、そのユーザ情報を広告配信機能付き携帯電話機１に対して通知する（図４ステップＳ５）。


【手続補正４】
【補正対象書類名】明細書
【補正対象項目名】００４０
【補正方法】変更
【補正の内容】
【００４０】
位置情報サーバ２は広告配信機能付き携帯電話機１から対象エリア２１の登録要求を受けると、データ管理用サーバ３に対して、対象エリア２１を登録し（図５のＡ７参照）、広告配信機能付き携帯電話機１に対して登録完了通知を送信する（図５のＡ８参照）。


【手続補正５】
【補正対象書類名】明細書
【補正対象項目名】００４１
【補正方法】変更
【補正の内容】
【００４１】
データ管理用サーバ３は位置情報サーバ２を介して登録された広告配信機能付き携帯電話機１からの対象エリア２１を基に、そのエリアに位置登録しているユーザを調査する（図５のＡ９参照）。この時、ユーザ携帯電話（＃４）２２及びユーザ携帯電話（＃５）２３は対象エリア２１の外にいるため、本対象からははずれる。


【手続補正６】
【補正対象書類名】図面
【補正対象項目名】図３
【補正方法】変更
【補正の内容】
【図３】
2004080554.tif 000008